(57)【要約】【課題】入力方法も操作パネルを使うのではなく、より簡便な方法で複雑なプリンタ機能を容易に設定できる利便性に優れた操作環境を構築することである。【解決手段】操作パネル設定一覧表上に印刷される前記操作パネル設定項目に対応する所定のコード情報をバーコードリーダ１０１３により読み取り、ＣＰＵ２２が操作パネル１０１２に対する該読み取られる所定のコード情報を階層構造の操作パネル設定項目に反映させることにより、操作パネル１０１２から行なう階層構造の設定がひと目でわかるように一覧表示する構成を特徴とする。【選択図】      図１
2004160919.tif 000002
【特許請求の範囲】
【請求項１】
階層構造の操作パネル設定項目に対する表示を制御可能な印刷制御装置であって、
操作パネル設定一覧表上に印刷される前記操作パネル設定項目に対応する所定のコード情報を読み取るリーダ手段と、
前記リーダ手段により読み取られる所定のコード情報を階層構造の操作パネル設定項目に反映させる制御手段と、
を有することを特徴とする印刷制御装置。
【請求項２】
前記操作パネル設定一覧表を印刷部より出力させる操作パネル設定一覧表出力手段を有することを特徴とする請求項１記載の印刷制御装置。
【発明の詳細な説明】
【０００１】
【発明の属する技術分野】
本発明は、操作パネル設定項目に対応するコード情報を入力してプリント機能を設定処理する印刷制御装置に関するものである。
【０００２】
【従来の技術】
従来、一般的にプリンタ装置にはＬＣＤ等の表示部、キー操作部、ＬＥＤ表示部等から構成される操作パネルが装着されており、プリンタを使用するにあたって必要な様々な設定や操作を上記操作パネルを使って行なっていた。
【０００３】
【発明が解決しようとする課題】
近年、プリンタ装置の機能が複雑化するに伴い、プリンタ装置の操作パネルから行なう設定も肥大化、複雑化し、かつ階層構造化しており、どの設定がどこにあるのかを探すのに手間取ることも度々であった。
【０００４】
また、プリンタ装置の機種毎に操作パネル設定も変わることが多いので、ますます設定を難しくしていた。
【０００５】
特に、ホストコンピュータやプリンタ装置といった情報機器に慣れていない利用者は、操作がわからなくて効果的に使えないといった問題点があった。
【０００６】
本発明は、上記の問題点を解決するためになされたもので、本発明の目的は、操作パネル設定一覧表上に印刷される操作パネル設定項目に対応する所定のコード情報を読み取り、該読み取られる所定のコード情報を階層構造の操作パネル設定項目に反映させることにより、操作パネルから行なう階層構造の設定がひと目でわかるように一覧表示にし、入力方法も操作パネルを使うのではなく、より簡便な方法で複雑なプリンタ機能を容易に設定できる利便性に優れた操作環境を構築できる印刷制御装置を提供することである。
【０００７】
【課題を解決するための手段】
本発明は、階層構造の操作パネル設定項目に対する表示を制御可能な印刷制御装置であって、操作パネル設定一覧表上に印刷される前記操作パネル設定項目に対応する所定のコード情報を読み取るリーダ手段と、前記リーダ手段により読み取られる所定のコード情報を階層構造の操作パネル設定項目に反映させる制御手段とを有することを特徴とする。
【０００８】
【発明の実施の形態】
以下、添付図面を参照して本発明の好適な実施形態を詳細に説明する。
【０００９】
〔レーザピームプリンタ概要〕
図１を参照して、本実施形態を適用するに好適なレーザビームプリンタ（以下ＬＢＰと略す）の構成について説明する。
【００１０】
なお、本実施形態を適用するプリンタは、ＬＢＰに限られるものではなく、他のプリント方式のプリンタでも良いことは言うまでもない。また、プリンタ以外の機器にも適用可能であることも言うまでもない。
【００１１】
図１は、本発明を適用可能なプリンタの構成を示す断面図であり、例えばＬＢＰの場合を示す。
【００１２】
図１において、１０００はＬＢＰ本体（以下、プリンタという）であり、外部に接続されているホストコンピュータ３０００（図２）から供給されるＰＤＬデータを入力して解析処理し、ビットマップ展開した後ビデオデータに変換して、記録媒体である記録紙上に像を形成する。１０１２は操作のためのスイッチ、ＬＥＤ、ＬＣＤ等が配置されている操作パネルである。１０１３はバーコードリーダである。１００１は、ホストコンピュータ３０００から供給されるＰＤＬデータを処理するプリンタコントローラである。このプリンタコントローラ１００１は、入力したＰＤＬデータを対応するパターンのビデオ信号に変換してレーザドライバ１００２に出力し、プリンタ１０００の各種ステータスをホストコンピュータ３０００に通知することが可能に構成されている。
【００１３】
レーザドライバ１００２は半導体レーザ１００３を駆動するための回路であり、入力されたビデオ信号に応じて半導体レーザ１００３から発射されるレーザ光１００４をオン・オフ切り替えする。レーザ光１００４は回転多面鏡１００５で左右方向に振られて静電ドラム１００６上を走査露光する。
【００１４】
これにより、静電ドラム１００６上には文字パターンや図形パターンの静電潜像が形成されることになる。この潜像は、静電ドラム１００６周辺に配設された現像ユニット１００７により現像された後、記録紙に転写される。この記録紙にはカットシートを用い、カットシート記録紙はプリンタ１０００に装着した用紙カセット１００８に収納され、給紙ローラ１００９及び搬送ローラ１０１０と搬送ローラ１０１１とにより、装置内に取り込まれて、静電ドラム１００６に供給される。
【００１５】
〔プリンタ制御システム〕
図２は、本発明の一実施形態を示す印刷制御装置を適用可能な印刷システムの制御構成を説明するブロック図である。ここでは、上述した図１に示すＬＢＰを例として説明を行なう。なお、本発明の機能が実行されるのであれば、単体の機器であっても、複数の機器からなるシステムであっても、ＬＡＮ等のネットワークを介して処理が行なわれるシステムであっても本発明を適用できることは言うまでもない。
【００１６】
図において、３０００はホストコンピュータである。１はＣＰＵであり、ＲＯＭ３のプログラムＲＯＭに記憶されている文書処理プログラム等に基づいて図形、イメージ、文字、表（表計算等を含む）等が混在した文書処理を実行し、システムバス４に接続される各デバイスを総括的に制御する。
【００１７】
ＲＯＭ３において、プログラムＲＯＭにはＣＰＵ１の制御プログラム等を記憶し、フォントＲＯＭには上記文書処理の際に使用するフォントデータ等を記憶し、データＲＯＭは上記文書処理等を行なう際に使用する各種データを記憶する。
【００１８】
２はＲＡＭであり、ＣＰＵ１の主メモリ、ワークエリア等として機能する。５はキーボードコントローラ（ＫＢＣ）であり、キーボード（ＫＢ）９や不図示のポインティングデバイスからのキー入力を制御する。６はＣＲＴコントローラ（ＣＲＴＣ）であり、ＣＲＴディスプレイ（ＣＲＴ）１０の表示を制御する。
【００１９】
７はメモリコントローラ（ＭＣ）であり、ブートプログラムや種々のアプリケーション、フォントデータ、ユーザファイル、編集ファイル等を記憶するハードディスク（ＨＤ）、フレキシブルディスク（ＦＤ）等からなる外部メモリ１１とのアクセスを制御する。８はプリンタコントローラ（ＰＲＴＣ）であり、所定の双方向インタフェース２１を介してプリンタ１０００に接続されて、プリンタ１０００との通信制御処理を実行する。
【００２０】
なお、ＣＰＵ１は、例えばＲＡＭ２上に設定された表示情報ＲＡＭへのアウトラインフォントの展開（ラスタライズ）処理を実行し、ＣＲＴ１０上での所謂ＷＹＳＩＷＹＧを可能としている。また、ＣＰＵ１は、ＣＲＴ１０上の不図示のマウスカーソル等で指示されたコマンドに基づいて登録された種々のウィンドウを開き、種々のデータ処理を実行する。
【００２１】
プリンタ１０００において、２２はプリンタＣＰＵであり、ＲＯＭ２４に記憶された制御プログラムに基づいて、システムバス２５に接続されるデバイスとのアクセスを総括的に制御し、印刷部インタフェース１０７を介して接続される印刷部（プリンタエンジン）１０８に出力情報としての画像情報（ビデオデータ）を出力する。ＣＰＵ２２は入力部１０１を介してホストコンピュータとの通信処理が可能になっており、プリンタ内の情報をホストコンピュータ３０００に通知可能に構成されている。
【００２２】
２３は不図示の展開部が展開したビットマップデータを格納するフレームメモリ等として機能するＲＡＭである。１０７は印刷部インタフェースであり、ＲＡＭ２３で構成されるフレームメモリからビットマップデータを受け取り、ビデオデータに変換して印刷部１０８に送る。１０１２は操作パネルであり、操作のためのスイッチ、ＬＥＤ、ＬＣＤ等が配置されている。
【００２３】
〔操作パネルの説明〕
図３は、図２に示したプリンタ１０００における操作パネル１０１２の構成を説明するための図である。
【００２４】
図において、５０１はＬＣＤ表示部で、各種メッセージや操作のための情報を表示する。５０２〜５０６はプリンタ１０００に対する各種操作を行なうためのキーであり、それぞれ以下の役割を持つ。５０７はオンライン・オフライン等の情報を表示するＬＥＤ表示器である。
【００２５】
キー５０２は、オンラインキーとして機能し、オンライン・オフラインの切り替えを行なう際に押下指示される。キー５０３〜５０６は、上下左右矢印キーとして機能し、動作モード切り替え、セットアップメニュー操作、ユーティリティ印刷操作を行なう際に押下指示される。
【００２６】
〔操作パネルからの印字環境設定〕
図４は、図３に示した操作パネル１０１２を用いて印字環境設定を行なう操作の一例を説明する図であり、以下、図５〜図６を参照して説明するセットアップメニュー３００の印字調整グループ３０４のスムージング機能３１０を「使う」を示す状態３１１から「使わない」を示す３１２に変更する場合の表示状態の推移について説明（操作パネル１０１２の操作に慣れているユーザによる操作例の場合）している。なお、２００〜２１０は前記ＬＣＤ表示部５０１に表示されるそれぞれの状態を示す。
【００２７】
図においては、状態２００は通常の印刷可能なオンライン状態であり、ＬＥＤ表示器５０７は点灯状態である。操作パネル１０１２から印字環境設定を行なう利用者はまず、オンラインキー５０２を押下し状態２０１に移行する必要がある。
【００２８】
状態２０１はＬＥＤ表示器５０７が消灯したオフライン状態である。ここでセットアップキー５０５を押下すると、表示状態は状態２０２に移行し、セットアップメニュー３００に入る。
【００２９】
セットアップメニュー３００は複数の階層構造になっており、第一層は拡張機能グループ３０１、給紙グループ３０２、レイアウトグループ３０３、印字調整グループ３０４、インタフェースグループ３０５、初期化設定３０６で構成されており、状態２０２では拡張機能グループ３０１が表示されている。
【００３０】
なお、目的のスムージング機能３１０の設定は印字調整グループ３０４の中にあるので、右矢印キー５０５を３回押下することにより、給紙グループの状態２０３、レイアウトグループの状態２０４を経て、印字調整グループの状態２０５に移行する。
【００３１】
次に、印字調整グループ３０４の中に入るため、状態２０５から下矢印キー５０６を押下し、状態２０６に移行する。後述する印字調整グループ３０４の最初の項目が目的のスムージング設定３１０なので、状態２０６で下矢印キー５０６を押下することにより、状態２０７のスムージング設定を行なう状態に移行する。
【００３２】
この状態２０７では、現在のスムージング設定の「使う」３１１が表示されているので、右矢印キー５０５を押下することにより、目的の設定「使わない」３１２がＬＣＤ表示部５０１上に表示された状態２０８に移行する。そして、状態２０８において実行キー（下矢印キー）５０６を押下することにより、スムージング設定３１０を目的の「使わない」３１２に確定することができ、ＬＣＤ表示部５０１に状態２０９を表示する。状態２０９から状態２１０への移行は一定時間経過後自動的に行われ、目的のスムージング設定３１０を「使わない」３１２に変更するための一連の操作が終了する。
【００３３】
〔操作パネルによる印字環境設定の問題点〕
上記操作パネル１０１２による印字環境設定では、設定項目が階層構造化されており、一般のホストコンピュータやプリンタ等の情報機器に不慣れな利用者には、設定したい項目がどのグループのどこにあるのか容易に判断することが難しかった。特に最近のプリンタは機能が複雑化し設定項目が肥大化しているため、その傾向が特に顕著であった。
【００３４】
そのため本発明の実施形態では、プリンタ１０００の操作パネル１０１２から数値コードを入力することにより、印字環境設定項目の最上階層から順に下の階層に移ること無く直接目的の設定項目に移行することを可能に構成した。これにより、利用者の印字環境設定操作が容易になるという効果がある。
【００３５】
以下、この数値コード入力による印字環境設定操作について詳しく説明する。
【００３６】
〔操作パネル設定一覧表〕
図５〜図８は、本発明に係る印刷制御装置における操作パネル設定一覧テーブルの一例を示す図であり、図３に示した操作パネル１０１２における数値コード入力による印字環境設定等を行なうためのテーブルである。この一覧テーブルは、予め製品に同梱させておき直ぐに取り出せるように製品の付近に設置しておくことが可能である。また、この一覧表をプリンタ１０００で印刷することも可能である。
【００３７】
図においては、図５から図７までは、各種印字環境設定を行なうためのセットアップメニューの階層構造部分の一覧テーブルである。図８は、ユーティリティメニュー部分の一覧テーブルである。
【００３８】
〔バーコードリーダからの印字環境設定（１）〕
以下、バーコードリーダ１０１３を使って、図４で説明したものと同じセットアップメニューの印字調整グループのスムージング機能を「使う」から「使わない」に変更する方法について説明する。
【００３９】
図６に示す印字調整グループ３０４内のスムージング機能３１０が変更を希望する場所である。利用者はバーコードリーダ１０１３を使って、スムージング機能３１０の「使わない」設定項目３１２のバーコード部分３２２Ｂを読み込ませる。すると、操作パネル１０１２の表示が、図４の状態２０８と同じ状態になる。
【００４０】
そこで、利用者は、バーコードリーダ１０１３を操作して、操作パネル設定一覧テーブルの実行部分３９９のバーコード３９７Ｂを読み込ませる。すると、操作パネル１０１２の表示部５０１の表示状態が図４に示した状態２０９になった後、状態２００に戻る。
【００４１】
また、バーコードリーダで「実行」３９９のバーコード３９７Ｂを読み込ませる代わりに、操作パネル１０１２の下矢印キー５０６を押下しても同様の結果となる。
【００４２】
以上説明したように、バーコードリーダ１０１３を使うことによって、各設定項目がどこにあるのか操作パネルを使って探し回る必要がなくなり、情報機器の操作に不慣れな利用者でも容易に印字環境を設定することができるようになる。
【００４３】
〔バーコードリーダからの印字環境設定（２）〕
次に、バーコードリーダ１０１３を使って、セットアップメニューの拡張機能グループのコピー枚数の設定を「１」から「５」に変更する方法について図１８で説明する。
【００４４】
図９は、図３に示した操作パネル１０１２を用いて操作パネル設定一覧テーブルの印字環境設定操作の一例を説明する図である。なお、２２２０〜２２２３はＬＣＤ表示部５０１に表示される状態に対応する。
【００４５】
図６に示すのは拡張機能グループ３０１内のコピー枚数３１３が変更する場所なので、利用者はバーコードリーダ１０１３を操作して、コピー枚数３１３のバーコード部分３２０を読み込ませる。すると、操作パネル１０１２の表示部５０１の表示状態が図９に示す状態２２２０となる。
【００４６】
そこで、利用者はバーコードリーダ１０１３を操作して操作パネル設定一覧テーブル図９中の数値入力３０７の「５」の数字３１５のバーコード３２３Ｂを読み込ませる。すると、操作パネル１０１２の表示部５０１の表示状態が図９の状態２２２１になる。
【００４７】
次に「実行」３９９のバーコード部３９７を読み込ませると、操作パネル１０１２の表示が図９の状態２２２２になる。その後一定時間経過後、自動的に一連の操作を行なう前の状態２２２３に戻る。バーコードリーダでバーコードを読み込ませるかわりに、通常の操作パネルの操作の様に各種キーを使用しても構わない。
【００４８】
以上説明したように、バーコードリーダ１０１３を使い数値入力が必要な場合も簡単に設定を行なうことができる。
【００４９】
〔バーコードリーダからの操作パネル設定一覧表印刷方法〕
次にバーコードリーダ１０１３を操作して、図５から図７に示す操作パネル設定一覧テーブルを印刷する方法について図１０を参照して説明する。
【００５０】
図１０は、図３に示した操作パネル１０１２を用いて操作パネル設定一覧テーブルの印刷指示操作の一例を説明する図である。なお、２２３０〜２２３２はそれぞれＬＣＤ表示部５０１の状態を示す。
【００５１】
利用者は図７に示すユーティリティメニュー３０８内のメニュープリント３１６のバーコード部３２４Ｂを、バーコードリーダ１０１３を使って読み込ませると、操作パネル１０１２の表示が図１０の状態２２３０になる。
【００５２】
次に「実行」３９９のバーコード部３９７Ｂを読み込ませると、操作パネル１０１２の表示部５０１の表示が図１０に示した状態２２３に変わり、操作パネル設定一覧テーブルの印刷を開始する。印刷が終了すると自動的に一連の操作を行なう前の状態２２３２に戻る。
【００５３】
以上説明したように、バーコードリーダ１０１３を使い操作パネル設定一覧表を簡単に印刷することができる。操作パネル設定一覧表をプリンタ１０００で印刷可能なことにより、プリンタ１０００の仕様が変更され、操作パネル設定一覧表の内容が変更された場合にも、利用者が容易に最新のものを入手することが可能となる。
【００５４】
〔バーコードリーダ制御部の処理〕
図１１は、本発明に係る印刷制御装置におけるデータ処理手順の一例を示すフローチャートであり、プリンタコントローラ１００１のＲＯＭ２４に格納されたプログラムにおけるバーコードリーダ制御部の処理手順に対応する。なお、Ｓ１〜Ｓ１７は各ステップを示し、該ステップは、バーコードリーダ１０１３で何か情報が読み込まれると開始されるものとする。
【００５５】
まず、ステップＳ１で、読み込まれた情報がセットアップメニュー３００内の項目を設定するものかどうかチェックを行ない、項目を設定する情報でないと判定した場合には、ステップＳ２に進み、項目設定の場合はステップＳ５に進む。
【００５６】
そして、ステップＳ２において、読み込まれた情報がユーティリティメニュー３０８内の一つかどうかチェックを行い、ユーティリティ実行でないと判定した場合は、何も行なわずに処理を終了する。
【００５７】
一方、ステップＳ２で、ユーティリティ実行であったと判定した場合は、ステップＳ３で、指定されたユーティリティの印刷が実行された後、ステップＳ４に進み、操作パネル１０１２の表示を変更した後、処理を終了する。
【００５８】
一方、ステップＳ１において、セットアップメニュー３００内の項目を設定する情報であったと判定した場合には、ステップＳ５に進み、数値入力を必要とする設定項目かどうかチェックされ、数値入力が必要であると判定された場合は、ステップＳ６に進み、数値入力の必要が無い通常の設定項目の場合はステップＳ１３に進む。
【００５９】
そして、数値入力の場合にはステップＳ６にて、操作パネル１０１２の表示部５０１の表示を変更した後、ステップＳ７にて、更に数字が読み込まれたかどうかチェックされ、数字が読み込まれたと判定された場合には、ステップＳ８で操作パネル１０１２の表示部５０１の表示を変更した後、ステップＳ７に戻る。
【００６０】
一方、ステップＳ７で数値入力でなかったと判定した場合は、ステップＳ９に進み、「実行」が入力されたかどうかチェックされ、「実行」が入力されたと判定した場合には、ステップＳ１１に進み、指定された数値に設定を変更した後、ステップＳ１２に進み、操作パネルの表示を変更した後処理を終了する。
【００６１】
一方、ステップＳ９で「実行」の入力でなかったと判定した場合は、ステップＳ１０に進み、「キャンセル」が入力されたかどうかチェックされ、ステップＳ１０にて「キャンセル」が入力された場合には、これまで入力された情報を破葉して何も設定を行なわずにステップＳ１２に進み、操作パネルの表示を変更した後、処理を終了する。
【００６２】
一方、ステップＳ５で数値入力でなかったと判定した場合には、通常の設定項目であるため、ステップＳ１３に進み操作パネルの表示を変更した後、ステップＳ１４に進む。
【００６３】
そして、ステップＳ１４では「実行」が入力されたかどうかチェックを行ない、「実行」が入力されていないと判定した場合は、ステップＳ１５に進む。
【００６４】
そして、ステップＳ１５では「キャンセル」が入力されたかどうかチェックを行ない、「キャンセル」でなかったと判定した場合には、ステップＳ１４に戻るが、「キャンセル」だったと判定した場合には、ステップＳ１７に進み、何も設定を行なわずに操作パネルの表示を変更した後、処理を終了する。
【００６５】
一方、ステップＳ１４で「実行」が入力された場合には、ステップＳ１６に進み、指定された項目の設定に変更した後、ステップＳ１７に進み、操作パネル１０１２のＬＣＤ表示部５０１の表示を変更した後、処理を終了する。
【００６６】
本発明の実施形態によれば、プリンタ１０００にバーコードリーダ１０１３を付加し、プリンタコントローラ１００１がバーコード情報を読み取ることが可能となるような構成とした。これにより、利用者の印字環境設定操作が飛躍的に容易になった。
【００６７】
以下、図１２に示すメモリマップを参照して本発明に係る印刷制御装置で読み出し可能なデータ処理プログラムの構成について説明する。
【００６８】
図１２は、本発明に係る印刷制御装置で読み出し可能な各種データ処理プログラムを格納する記憶媒体のメモリマップを説明する図である。
【００６９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００７０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７１】
本実施形態における図１１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００７３】
この場合、記憶媒体から読み出されたプログラムコード自体が本発明の新規な機能を実現することになり、そのプログラムコードを記憶した記憶媒体は本発明を構成することになる。
【００７４】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００７５】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７７】
本発明は上記実施形態に限定されるものではなく、本発明の趣旨に基づき種々の変形（各実施形態の有機的な組合せを含む）が可能であり、それらを本発明の範囲から排除するものではない。
【００７８】
上記実施形態によれば、階層構造の複雑な操作パネル設定メニューを持つプリンタであっても、バーコードリーダと操作パネル設定一覧表を用いて容易に設定項目を選択し設定の変更を行なうことが可能になるので、利用者の操作性向上に効果がある。
【００７９】
また、利用者が操作パネル設定一覧表を見て操作パネルを使って設定を行なう場合の参考にできるという効果もある。
【００８０】
更に、この操作パネル設定一覧表をプリンタで印刷することができるので、利用者がこの一覧表を破損・紛失した場合でも対応でき、万が一仕様が変わって操作パネル設定一覧が変更になった場合でも、利用者が最新の操作パネル設定一覧表を手に入れることが可能である。
【００８１】
【発明の効果】
以上説明したように、本発明によれば、操作パネル設定一覧表上に印刷される前記操作パネル設定項目に対応する所定のコード情報を読み取り、該読み取られる所定のコード情報を階層構造の操作パネル設定項目に反映させることにより、操作パネルから行なう階層構造の設定がひと目でわかるように一覧表示にし、入力方法も操作パネルを使うのではなく、より簡便な方法で複雑なプリンタ機能を容易に設定できる利便性に優れた操作環境を構築できるという効果を奏する。
【図面の簡単な説明】
【図１】本発明を適用可能なプリンタの構成を示す断面図である。
【図２】本発明の一実施形態を示す印刷制御装置を適用可能な印刷システムの制御構成を説明するブロック図である。
【図３】図２に示したプリンタにおける操作パネルの構成を説明するための図である。
【図４】図３に示した操作パネルを用いて印字環境設定を行なう操作の一例を説明する図である。
【図５】本発明に係る印刷制御装置における操作パネル設定一覧テーブルの一例を示す図である。
【図６】本発明に係る印刷制御装置における操作パネル設定一覧テーブルの一例を示す図である。
【図７】本発明に係る印刷制御装置における操作パネル設定一覧テーブルの一例を示す図である。
【図８】本発明に係る印刷制御装置における操作パネル設定一覧テーブルの一例を示す図である。
【図９】図３に示した操作パネルを用いて印字環境設定を行なう操作の一例を説明する図である。
【図１０】図３に示した操作パネルを用いて操作パネル設定一覧テーブルの印刷指示操作の一例を説明する図である。
【図１１】本発明に係る印刷制御装置におけるデータ処理手順の一例を示すフローチャートである。
【図１２】本発明に係る印刷制御装置で読み出し可能な各種データ処理プログラムを格納する記憶媒体のメモリマップを説明する図である。
【符号の説明】
２１  双方向インタフェース
２２  ＣＰＵ
２３  ＲＡＭ
２４  ＲＯＭ
１０１  入力部
１０７  印刷部Ｉ／Ｆ
１０８  印刷部
１０００  プリンタ
１００１  プリンタコントローラ
１０１２  操作パネル
１０１３  バーコードリーダ
３０００  ホストコンピュータ
【図１】
2004160919.tif 000003
【図２】
2004160919.tif 000004
【図３】
2004160919.tif 000005
【図４】
2004160919.tif 000006
【図５】
2004160919.tif 000007
【図６】
2004160919.tif 000008
【図７】
2004160919.tif 000009
【図８】
2004160919.tif 000010
【図９】
2004160919.tif 000011
【図１０】
2004160919.tif 000012
【図１１】
2004160919.tif 000013
【図１２】
2004160919.tif 000014